(57)【特許請求の範囲】
【請求項１】
フレームの前面に設けたガイド板の一面に、切口と、この切口に臨む櫛刃及び平刃を備えた摺動板を添接し、この摺動板を、フレームに設けた第一駆動部で、前記フレームの長手方向に摺動可能とし、また、このガイド板の他面に、割り刃を備えた割り刃ケースを着脱自在に設け、この割り刃ケースに対峙するように押込み頭部を備えた押込み手段を設け、この押込み手段は、前記フレームの後面に設けた操作手段と、移動手段及び第二駆動部を利用し、前記割り刃ケースに向って前進後退可能とし、また、この押込み手段に設けた扉で、前記フレームに設けた投入シュートの供給口を遮蔽する構成とするとともに、この投入シュートに根菜類を順次供給する供給機構を組込みできる根菜類の千切り装置において、
前記第一駆動部を、前記フレームに設けたフライホイールと、モータ、並びにこのフライホイールと前記摺動板に差渡し設けたシャフトとで構成し、前記フレームの長手方向に向って前後動する構成とした根菜類の千切り装置。
【請求項２】
請求項１に記載の根菜類の千切り装置であって、
前記ガイド板の一面に、切口と、櫛刃及び平刃を備えた摺動板は、このガイド板の上下に突設したガイド片をガイドとして、この摺動板が、その長手方向に摺動し、また、このガイド板には、根菜類の第一の処理が済んだ、分割された根菜類が押出される窓を開設する構成とした根菜類の千切り装置。
【請求項３】
請求項１に記載の根菜類の千切り装置であって、
前記割り刃ケースは、その立上壁面を、前記ガイド板の他面であって、その短手方向の上側に設けた取付けリンクで挾持、挾持開放で、取付け、取外し自在に設けられている構成とした根菜類の千切り装置。
【請求項４】
請求項１に記載の根菜類の千切り装置であって、
前記押込み手段は、割り刃進入用の切り溝を備えた樹脂製の押込みブロックと、この押込みブロックが取付け、取外し自在に設けられるブロック支持体とでなり、
また、前記移動手段は、前記ブロック支持体に設けたラックギアと、このラックギアに噛合するピニオンと、このピニオンが設けられる第二駆動部の出力軸とでなる構成とした根菜類の千切り装置。
【請求項５】
請求項１に記載の根菜類の千切り装置であって、
前記投入シュートの下側には、その供給口に整合する開口を備えたケースを設け、このケースに前記押込みブロックを挿入可能とするとともに、このケースに設けた切り溝と、前記押込みブロックの切り溝が合致し、前記ケースの側面に設けた突条が、前記フレームに設けたレールに嵌合する構成とした根菜類の千切り装置。
【請求項６】
請求項６は、請求項１に記載の根菜類の千切り装置であって、
前記ガイド板の一面に、切口と、この切口に臨む櫛刃及び平刃、並びに排出シュートを備えた摺動板は、このガイド板の上下に突設したガイド片をガイドとして、この摺動板が、その長手方向に摺動する構成は、フレームに設けたフライホイールと、このフライホイールに動力を伝達するモータの出力軸とで構成されている根菜類の千切り装置。
【発明の詳細な説明】
【技術分野】
【０００１】
本発明は、大根、人参、胡瓜、牛蒡等の根菜類（処理物）の千切り装置に関する。
【背景技術】
【０００２】
この種の根菜類の千切り装置としては、自動化が進んでおり、かつ文献の中に、参考となる発明があるので、以下、説明する。
【０００３】
文献（１）は、特開２００５−３２４２９８の「つま切り装置」であって、この発明は、ケーシングの前面に、上下動するつま切り刃（櫛刃と直線刃）を、このつま切り刃に対峙する分割カッターを配備するとともに、この分割カッターの上方に定寸用カッターを設け、前記分割カッターに向って根菜類を押圧供給する押圧ブロック体を、前後動可能に設け、この分割カッターで分割した、根菜類のブロック体を形成し、前記つま切り刃により、つま切りする構造であり、この発明は、従来の定数カッターでカットすることで、一定の寸法のつま切りを、分割カッターの寸法変更で、複数の寸法のつま切りを加工できることを特徴とする。しかし、この文献（１）は、根菜類を竪置きする構造であり、複数個の根菜類を同時に、供給することが不可能である。従って、短尺な根菜類には、不向きである。そして、また、つま切りの直下に、駆動部を要することから、仕上げつま切りの収容に、手間取ることと、安全性への配慮が欠けること等が考えられる。
【０００４】
また、文献（２）は、特開２００８−２８４６２７の「根菜類の千切り装置」であって、この発明は、明細書の［０００２］に記載の如く、文献（１）の改良であり、構造の簡略化を図ることにある。具体的には、［０００３］の問題がある。そこでこの文献（２）は、千切刃を上下二段構造として、効率的に、千切りを行なうことと、千切刃の櫛刃間に、千切りされた部分が残らないようにしたことを特徴とする。しかし、この文献（２）は、前述した文献（１）と、略同様に問題を抱えている。
【０００５】
さらに、文献（３）は、特開平４−３３１０９６号の「ゴボウの自動千切り加工装置」であり、この発明は、ゴボウの搬送手段と、この搬送手段の先行先端に設けたストッパーと、このストッパーで停止されたゴボウを上方より切断する切断刃と、この切断刃の走行方向の前方に位置し、かつ往復動する櫛刃と、この櫛刃まで、ゴボウを押込む押出し部材とで構成する。その特徴は、人手に頼っていた、千切りを自動化したことを特徴とする。しかし、この発明は、単純な櫛刃構造であり、擬似千切りの感覚であって、本来の千切りとは、その仕上がり感覚が異なると考えられる。
【０００６】
【特許文献１】特開２００５−３２４２９８
【特許文献２】特開２００８−２８４６２７
【特許文献３】特開平４−３３１０９６号
【発明の概要】
【発明が解決しようとする課題】
【０００７】
前記文献（１）と、文献（２）は、千切りが行える特徴を有する。しかし、前述した構造では、複数本の根菜類を、連続的に千切りするには、適さないと考えられる。また、櫛刃が上下する直下に、駆動部が存在することで、安全性への配慮が欠けること等が考えられる。この文献（１）と、文献（２）は、根菜類を竪置きする構造であるので、この竪置きの姿勢が安定しないこと、また、同時に数本セットすることは困難であり、能率が悪いこと、さらに切り屑、又は不良屑の発生があり、材料の無駄と、品質の低下を招来すること、等の問題点を抱えている。
【０００８】
また、文献（３）は、櫛刃が単独構造であり、擬似千切りの感覚であって、本来の千切りとは、その仕上がり感覚が異なると考えられる。
【課題を解決するための手段】
【００１１】
請求項１の発明は、櫛刃と平刃でなる第二カッター手段と、割り刃でなる第一カッター手段を介して、根菜類を切断する構造であり、従来の千切り（熟練の手による千切り）と遜色がない、美麗で、形状が整った千切りを、機械的な手段で形成すること、また、短時間に、屑が発生しない千切り（形状が確保されない千切り）を製造すること、等を意図する。また、請求項１の発明は、人参、牛蒡等の如く、小径の人参、胡瓜、及び／又は細い牛蒡等の小型の根菜類は、投入シュートから、ケース内に複数本投入することから、この複数本を、連続的に千切りを行なうこと、また、効率的な千切りを可能とすること、等を意図する。さらに、請求項１の発明は、第二カッター手段を、フレームの一面に摺設する構造とするとともに、他面に、かつ第二カッター手段に対峙するように、前記第一カッター手段を設ける構造であり、仕上がり千切りを安全に取出し得ることと、作業の安全性に寄与すること、等を意図する。
【００１２】
請求項１は、フレームの前面に設けたガイド板の一面に、切口と、この切口に臨む櫛刃及び平刃を備えた摺動板を添接し、この摺動板を、フレームに設けた第一駆動部で、前記フレームの長手方向に摺動可能とし、また、このガイド板の他面に、割り刃を備えた割り刃ケースを着脱自在に設け、この割り刃ケースに対峙するように押込み頭部を備えた押込み手段を設け、この押込み手段は、前記フレームの後面に設けた操作手段と、移動手段及び第二駆動部を利用し、前記割り刃ケースに向って前進後退可能とし、また、この押込み手段に設けた扉で、前記フレームに設けた投入シュートの供給口を遮蔽する構成とするとともに、この投入シュートに根菜類を順次供給する供給機構を組込みできる根菜類の千切り装置において、
前記第一駆動部を、前記フレームに設けたフライホイールと、モータ、並びにこのフライホイールと前記摺動板に差渡し設けたシャフトとで構成し、前記フレームの長手方向に向って前後動する構成とした根菜類の千切り装置である。
【００１３】
請求項２の発明は、請求項１に記載の意図を達成すること、この意図を達成するに最適な、摺動板とガイド板の構造を提供すること、等を意図する。
【００１４】
請求項２は、請求項１に記載の根菜類の千切り装置であって、
前記ガイド板の一面に、切口と、櫛刃及び平刃を備えた摺動板は、このガイド板の上下に突設したガイド片をガイドとして、この摺動板が、その長手方向に摺動し、また、このガイド板には、根菜類の第一の処理が済んだ、分割された根菜類が押出される窓を開設する構成とした根菜類の千切り装置である。
【００１５】
請求項３の発明は、請求項１に記載の意図を達成すること、この意図を達成するに最適な、割り刃を複数枚セットした割り刃ケースの構造を提供すること、等を意図する。
【００１６】
請求項３は、請求項１に記載の根菜類の千切り装置であって、
前記割り刃ケースは、その立上壁面を、前記ガイド板の他面であって、その短手方向の上側に設けた取付けリンクで挾持、挾持開放で、取付け、取外し自在に設けられている構成とした根菜類の千切り装置である。
【００１７】
請求項４の発明は、請求項１に記載の意図を達成すること、この意図を達成するに最適な、押込み手段と移動手段の連繋された関係と、この押込み手段と移動手段の個々の構造を提供すること、等を意図する。
【００１８】
請求項４は、請求項１に記載の根菜類の千切り装置であって、
前記押込み手段は、割り刃進入用の切り溝を備えた樹脂製の押込みブロックと、この押込みブロックが取付け、取外し自在に設けられるブロック支持体とでなり、
また、前記移動手段は、前記ブロック支持体に設けたラックギアと、このラックギアに噛合するピニオンと、このピニオンが設けられる第二駆動部の出力軸とでなる構成とした根菜類の千切り装置である。
【００１９】
請求項５の発明は、請求項１に記載の意図を達成すること、この意図を達成するに最適な、投入シュートと、ケースの連繋された関係と、このケースと押込みブロックの個々の構造を提供すること、等を意図する。
【００２０】
請求項５は、請求項１に記載の根菜類の千切り装置であって、
前記投入シュートの下側には、その供給口に整合する開口を備えたケースを設け、このケースに前記押込みブロックを挿入可能とするとともに、このケースに設けた切り溝と、前記押込みブロックの切り溝が合致し、前記ケースの側面に設けた突条が、前記フレームに設けたレールに嵌合する構成とした根菜類の千切り装置である。
【００２１】
請求項６の発明は、請求項１に記載の意図を達成すること、この意図を達成するに最適な、摺動板と、ガイド板、並びにこの摺動板の摺動手段、並びに摺動板と、ガイド板の個々の構造を提供すること、等を意図する。
【００２２】
請求項６は、請求項１に記載の根菜類の千切り装置であって、
前記ガイド板の一面に、切口と、この切口に臨む櫛刃及び平刃、並びに排出シュートを備えた摺動板は、このガイド板の上下に突設したガイド片をガイドとして、この摺動板が、その長手方向に摺動する構成は、フレームに設けたフライホイールと、このフライホイールに動力を伝達するモータの出力軸とで構成されている根菜類の千切り装置である。
【発明の効果】
【００２５】
請求項１の発明は、フレームの前面に設けたガイド板の一面に、切口と、切口に臨む櫛刃及び平刃を備えた摺動板を添接し、摺動板を、フレームに設けた第一駆動部で、フレームの長手方向に摺動可能とし、また、ガイド板の他面に、割り刃を備えた割り刃ケースを着脱自在に設け、割り刃ケースに対峙するように押込み頭部を備えた押込み手段を設け、押込み手段は、フレームの後面に設けた操作手段と、移動手段及び第二駆動部を利用し、割り刃ケースに向って前進後退可能とし、また、押込み手段に設けた扉で、フレームに設けた投入シュートの供給口を遮蔽する構成とするとともに、投入シュートに根菜類を順次供給する供給機構を組込みできる根菜類の千切り装置において、
第一駆動部を、フレームに設けたフライホイールと、モータ、並びにフライホイールと摺動板に差渡し設けたシャフトとで構成し、フレームの長手方向に向って前後動する構成とした根菜類の千切り装置である。
【００２６】
従って、請求項１は、櫛刃と平刃でなる第二カッター手段と、割り刃でなる第一カッター手段を介して、根菜類を切断する構造であり、従来の千切り（熟練の手による千切り）と遜色がない、美麗で、形状が整った千切りを、機械的な手段で形成できること、また、短時間に、屑が発生しない千切り（形状が確保されない千切り）を製造できること、等の特徴を有する。また、請求項１の発明は、人参、牛蒡等の如く、小径の人参、胡瓜、及び／又は細い牛蒡等の小型の根菜類は、投入シュートから、ケース内に複数本投入することから、この複数本を、連続的に千切りが行なえること、また、効率的な千切りが可能となること、等の実益がある。さらに、請求項１の発明は、第二カッター手段を、フレームの一面に摺設する構造とするとともに、他面に、かつ第二カッター手段に対峙するように、前記第一カッター手段を設ける構造であり、仕上がり千切りを安全に取出し得ることと、作業の安全性に寄与できること、等の特徴を有する。
【００２７】
請求項２の発明は、請求項１に記載の根菜類の千切り装置であって、
ガイド板の一面に、切口と、櫛刃及び平刃を備えた摺動板は、ガイド板の上下に突設したガイド片をガイドとして、摺動板が、その長手方向に摺動し、また、ガイド板には、根菜類の第一の処理が済んだ、分割された根菜類が押出される窓を開設する構成とした根菜類の千切り装置である。
【００２８】
従って、請求項２は、請求項１に記載の意図を達成できること、この意図を達成するに最適な、摺動板とガイド板の構造を提供できること、等の特徴がある。
【００２９】
請求項３の発明は、請求項１に記載の根菜類の千切り装置であって、
割り刃ケースは、立上壁面を、ガイド板の他面であって、短手方向の上側に設けた取付けリンクで挾持、挾持開放で、取付け、取外し自在に設けられている構成とした根菜類の千切り装置である。
【００３０】
従って、請求項３は、請求項１に記載の意図を達成できること、この意図を達成するに最適な、割り刃を複数枚セットした割り刃ケースの構造を提供できること、等の特徴がある。
【００３１】
請求項４の発明は、請求項１に記載の根菜類の千切り装置であって、
押込み手段は、割り刃進入用の切り溝を備えた樹脂製の押込みブロックと、押込みブロックが取付け、取外し自在に設けられるブロック支持体とでなり、
また、移動手段は、ブロック支持体に設けたラックギアと、ラックギアに噛合するピニオンと、ピニオンが設けられる第二駆動部の出力軸とでなる構成とした根菜類の千切り装置である。
【００３２】
従って、請求項４は、請求項１に記載の意図を達成できること、この意図を達成するに最適な、押込み手段と移動手段の連繋された関係と、この押込み手段と移動手段の個々の構造を提供できること、等の特徴がある。
【００３３】
請求項５の発明は、請求項１に記載の根菜類の千切り装置であって、
投入シュートの下側には、供給口に整合する開口を備えたケースを設け、ケースに押込みブロックを挿入可能とするとともに、ケースに設けた切り溝と、押込みブロックの切り溝が合致し、ケースの側面に設けた突条が、フレームに設けたレールに嵌合する構成とした根菜類の千切り装置である。
【００３４】
従って、請求項５は、請求項１に記載の意図を達成できること、この意図を達成するに最適な、投入シュートと、ケースの連繋された関係と、このケースと押込みブロックの個々の構造を提供できること、等の特徴がある。
【００３５】
請求項６は、請求項１に記載の根菜類の千切り装置であって、
ガイド板の一面に、切口と、切口に臨む櫛刃及び平刃、並びに排出シュートを備えた摺動板は、ガイド板の上下に突設したガイド片をガイドとして、摺動板が、長手方向に摺動する構成は、フレームに設けたフライホイールと、フライホイールに動力を伝達するモータの出力軸とで構成されている根菜類の千切り装置である。
【００３６】
従って、請求項６は、請求項１に記載の意図を達成できること、この意図を達成するに最適な、摺動板と、ガイド板、並びにこの摺動板の摺動手段、並びに摺動板と、ガイド板の個々の構造を提供できること、等の特徴がある。
【図面の簡単な説明】
【００３７】
【図１】本発明の第一実施例（一連）を示した一部欠載の正面視した全体の俯瞰図
【図２】図１の背面視した全体の俯瞰図
【図３】図１の平面図
【図４−１】本発明の第一実施例を示した第一カッター手段と、第二カッター手段、並びに押込み手段と、移動手段でなる要部を示した拡大俯瞰図
【図４−２】図４−１に示した第一実施例の櫛刃及び平刃を分解して示した拡大俯瞰図
【図５】図４−１の背面視した全体の俯瞰図
【図６】本発明の第一実施例を示した押込み手段と、ケース、並びに移動手段でなる要部を示した拡大俯瞰図正面視した全体の俯瞰図
【図７】本発明の第一実施例を示した押込み手段の分解俯瞰図
【図８−１】本発明の第一実施例を示した第一カッター手段と、第二カッター手段、並びにフレームのガイド板の俯瞰図
【図８−２】本発明の第一実施例を示した第一カッター手段と、第二カッター手段、並びにフレームのガイド板の背面視した分解俯瞰図
【図８−３】本発明の第一実施例を示した第一カッター手段と、第二カッター手段、並びにフレームのガイド板の正面視した分解俯瞰図
【図９−１】本発明の第一実施例において、ケース内に供給された根菜類（大根）を押込み手段で、第一カッター手段に向って押込みを図る前段を示した拡大側面模式図
【図９−２】図９−１において、押込み手段で、さらに押込みを図る状態を示した拡大側面模式図
【図９−３】図９−２において、第一カッター手段で、第一処理を行なう状態を示した拡大側面模式図
【図９−４】図９−３において、第一カッター手段で、第一処理を行なった後、第二カッター手段で第二処理を行なって、千切りが製造される家庭を示した拡大側面模式図
【図１０】本発明の第二実施例（二連）を示した正面視した全体の俯瞰図
【図１１】図１０の背面視した全体の俯瞰図
【図１２】図１０の平面図
【発明を実施するための形態】
【００３８】
最初に、図１〜図９−４は、本発明の第一実施例（一連の千切り装置）を示しており、その構造を説明する。図中１はフレーム（ケーシング）で、このフレーム１の上面１ａには、その長手方向Ｘに向って、ガイド板２を立設する。このガイド板２には、その上下側にガイド片２００、２０１を突設する（フレーム１の短手方向Ｙに向って突設する）。そして、このガイド片２００、２０１の間には、長手方向Ｘに向って前進後退（前後動とする）摺動板３を設ける。この摺動板３の一面（前面）には切口３００を備えており、この切口３００を長手方向Ｘにおいて、対峙するように櫛刃４と、平刃５を設ける。この櫛刃４は取付けケース４ａを介して、前記切口３００の一方開口端３００ａに着脱自在に取付けられる。この櫛刃４は、従来の構造と同様であり、例えば、図の如く、多数の刃物片を等間隔で、図面において、上下方向に多数枚設ける構成である。この櫛刃４は、取付けケース４ａを介して、前記一方開口端３００ａに取付けられる。また、平刃５は、一枚刃であって、前記切口３００の他方開口端３００ｂに着脱自在に取付けられる。そして、この摺動板３は、フレーム１に設けたフライホイール７と、モータ８、並びにこのフライホイール７と摺動板３に差渡し設けたシャフト１０を（第一駆動部）介して、長手方向Ｘに向って前後動する構造である。この櫛刃４と平刃５で第二カッター手段を構成し、千切り用の第二処理をする。そして、この櫛刃４と平刃５が、摺動板３とともに、前記ガイド板２のガイド片２００、２０１に沿って、長手方向Ｘに往復動することで、千切りＡが連続的に製造される。尚、前記フライホイール７と、モータ８、並びにシャフト１０とで、第一駆動部を構成する。
【００３９】
図中１１は、摺動板３の切口３００の下方に設けたシュータを示す。そして、このシュータ１１から、前記切口３００より排出される千切りＷを、受け止め、かつ収容部１００に誘導する。
【００４０】
また、摺動板３の他面（後面）には、割り刃１２００を複数枚備えた割り刃ケース１２（第一カッター手段）を着脱自在に設ける。即ち、この割り刃ケース１２は、ガイド板２の開口２０２に対応する位置に（短手方向Ｙの方向）設けられており、後述するケース内に供給された大根を第一処理する。例えば、長手方向Ｘに寝た状態で収容された大根を輪切りにすることにある。そして、この輪切りにされた大根片を前記第二カッター手段で、千切りにするのが、本発明である。そして、この割り刃ケース１２は、後方の一方の立上壁面１２０１に切欠き部１２０２を設け、この切欠き部１２０２に、ガイド板２の他面に回転自在に枢着した取付けリンク１３を挾持することで、この割り刃ケース１２が、ガイド板２の他面に取付けられる。また、この割り刃ケース１２の後方の他方の立上壁面１２０３を、ガイド板２の図示しない差込み片に挿入することが望ましい。尚、この取付けリンク１３と他面との間には、立上壁面１２０１が挿入可能な隙間（図示せず）を有する。図中１３００は取付けリンク１３に設けた摘みを示す。尚、この取付けリンク１３の挾持で、割り刃ケース１２を自由に変更できることで、例えば、各種の割り刃ケース１２を着脱自在に設け、割り刃１２００の間隔調整を図る。即ち、大根の輪切りの厚みを自由に変更できる。そして、また、割り刃ケース１２を着脱自在とすることで、洗浄と、清掃等における利便性を確保する。
【００４１】
図中２０は中空状のケースで、このケース２０はフレーム１に設けた対のベース２１間に設けられるとともに、このケース２０の上面に設けた開口２０００には、投入シュート２２の供給口２２００が連設されている。従って、投入シュート２２に投入（供給）された大根は、供給口２２００よりケース２０内に到る構造である。そして、このケース２０内には、押込みブロック２４と、この押込みブロック２４を支持するブロック支持体２５と、このブロック支持体２５の移動を司る移動手段２７の一部と、このブロック支持体２５の後方（短手方向Ｙの後方Ｙ１）に設けた扉２８（開閉板）とが収容されている。従って、この押込みブロック２４と、ブロック支持体２５、並びに扉２８は、前記移動手段２７の動作で、ケース２０の前進方向（短手方向Ｙの前方Ｙ２）への移動（前進移行）と、後退方向（短手方向Ｙの後方Ｙ１）への移動（後退移行）が図れる。また、この前進移行で、ケース２０内に供給されている大根を、ケース２０の前方Ｙ２に押込む構造である。そして、この際に、供給口２２００を扉２８で塞き、例えば、大根が誤って投入されることを防止する。尚、この押込みブロック２４の端面（Ｙ１の方向）には、前記割り刃１２００が進入できる切り溝２４００が、後方Ｙ１の方向に開設されている。尚、この押込みブロック２４は、ブロック支持体２５に着脱自在に設けられ、例えば、切り溝２４００の間隔が異なる押込みブロック２４に変更可能、また、割り刃１２００の枚数に対応可能、等の如く、自由な取扱いができる構造とする。前記ケース２０の前方には先端開口２００１を設け、この先端開口２００２には、第一カッター手段（割り刃１２００）が入る切り溝２００２を設ける。この切り溝２００１は、ケース２０を清掃する際、故障時のメンテナンス等に、ケース２０を前進限に移行する状態を勘案して設けられている。尚、ケース２０は、その側面に設けた突条２００３と、フレーム１又はベース２１に設けたレール２００４との嵌合を利用して、短手方向Ｙで、かつフレーム１の上面１ａの水平方向に前進、後退する。
【００４２】
尚、前記移動手段２７の一例を説明すると、ベース２１、又はフレーム１の上面１ａに設けたラックギア２７００と、このラックギア２７００に噛合するピニオン（図示せず）と、このピニオンを駆動する減速機付きモータ２７０１（第二駆動部）とで構成されており、このモータ２７０１は、前記ブロック支持体２５の基部に取付けられている。従って。モータ２７０１が回転し、ピニオンが回転されることで、このブロック支持体２５、扉２８、及びモータ２７０１、ピニオンが、ラックギア２７００をガイドとして自走する構造である。尚、前記ラックギア２７００、又はケース２０、フレーム１等の固定部材に、近接スイッチ２７０２を設け、自走するブロック支持体２５、扉２８等にドッグ２７０３を設け、前記自走した、前記ブロック支持体２５、扉２８等が、前進限及び／又は後退限で停止する構造となっている。また、投入シュート２２には、センサー２２０１を付設し、例えば、人手を検知した場合には、装置を停止する等して、その安全性を確保する。
【００４３】
図中３０は、投入シュート２２に大根を投入（供給）する搬送用のコンベアで、このコンベア３０は、対の歯車間に懸架されたチェーン３１と、このチェーン３１間に設けた多数の受け板３２と、このチェーン３１を駆動する図示しない、モータで構成する。そして、このコンベア３０の下端には、ホッパー３３（受け皿）を設け、このホッパー３３に大根、又は小径の人参、胡瓜、及び／又は細い牛蒡等の小型の根菜類を投入する。この投入の際に、注意することは、ホッパー３３内でブリッジ状態とならないように、順次、整然と投入する。例えば、大根の如く、太く、かつ大きい根菜類は、原則として、一本ずつ、また、人参、胡瓜、牛蒡等の小型の根菜類は、原則として、数本まとめて、ホッパー３３に、順次、収容する。このホッパー３３内に収容された大根は、原則として、一本ずつ、また、人参、胡瓜、牛蒡等の小型の根菜類は数本まとめて、多数の受け板３２を介して、順次、投入シュート２２に送るが、この投入シュート２２の供給口２２００が解放されているときに、例えば、大根では一本ずつ投入する。この投入された、例えば、大根が、供給口２２００よりケース２０内に至ると、押込みブロック２４が移動手段２７の動作で前進し、大根を、順次、ケース２０の先端開口２００１に押込んでいくとともに、供給口２２００は、扉２８で閉められる。この扉２８が閉められた段階で、コンベア３０が、作動し、次の大根が、投入シュート２２の扉２８に搬送されてくる。一方、押込まれて、先端開口２００１に到った大根は、この押込みブロック２４が移動手段２７の動作で、順次、前進されることで、その前進限に到るまで、第一カッター手段と、第二カッター手段で、順次、千切りされる。そして、前進限の押込みブロック２４が移動手段２７の動作で後退するとともに、扉２８も同時に後退することで、投入シュート２２の供給口２２００が解放されるので、次の大根が、投入シュート２２に投入される。以下、前述の作業の繰返しである。
【００４４】
尚、図示しないが、このコンベア３０には、大根、牛蒡等の長さを一定にする定寸カッターを備えている。また、前記人参、胡瓜、牛蒡等の小型の根菜類は数本まとめて、受け板３２で掬われ、投入シュート２２から供給される。また、まとめてケース２０の先端開口２００１に押込まれて、一本ずつ千切りされる。その他は、前述の大根等と同じである。尚、このコンベア３０は、ベース３５に設けられており、このベース３５の移動で、千切り装置にセットされる。このセットの際に、最先端の受け板３２は、投入シュート２２の直上にある。また、このコンベア３０の動きは、前記移動手段２７に連動する構造となっている。
【００４５】
また、図１０〜図１２は、本発明の第二実施例（二連の千切り装置）を示しており、その構造を説明する。この第二実施例は、前述した、第一実施例を二連とする構造であり、その基本は同じであり、説明は割愛する。そして、この二連は製造効率が優れている。
【００４６】
図中４０〜４３等はカバーである。
【００４７】
以下、図９−１〜図９−４に示した、千切りの製造工程を説明すると、図９−１は、投入シュート２２を介して投入された大根は、その供給口２２００とケース２０の開口２０００を経由し、ケース２０の底面２０ａに、供給される（収容される）。この際に、横置きにセットされることで、姿勢が安定すること、材料・太さ等の大小を問わないこと、同時に数本セットできることと、効率的であること、等の特徴がある。その後、図９−２の如く、大根は、押込みブロック２４が移動手段２７を介して、ケース２０の前方Ｙ２に向って押込まれていくとともに、その際に、開口２０００と供給口２２００は、扉２８で塞ぐことで、次の大根の投入及び／又は供給を停止する。そして、図９−３の如く、千切りの第一処理が始まり、割り刃１２００を介して、大根の直径方向に切断し、所謂、輪切り大根片を製造する。そして、図９−４の如く、この輪切り大根片を、櫛刃４と平刃５を介して、第二処理をすることで、摺動板３の切口３００と、排出シュート３０１を介して、千切りＷが連続的に製造され、フレーム１の収容部１００に溜められる。尚、図示しないが、人参、牛蒡等の如く、小径の人参、胡瓜、及び／又は細い牛蒡等の小型の根菜類は、投入シュート２２から、ケース２０内に複数本投入することから、移動手段２７による一定のスピード、及び押込み圧力で操作することが必要となる。そして、また、この例では、小型の根菜類であっても、残り滓も少なく（切り屑、又は不良屑の発生）、品質の安定と、資源の有効利用となること、又は極めて効率的であること、等の実益がある。尚、この移動手段２７による一定のスピード、及び押込み圧力で、押込みブロック２４を操作することで、例えば、千切り寸法精度の一定性と、正確性が確保される。また、残り滓も少なく、極めて効率的であり、また、資源の有効利用となる。
【符号の説明】
【００４８】
１                フレーム
１ａ              上面
１００            収容部
２                ガイド板
２００            ガイド片
２０１            ガイド片
２０２            開口
３                摺動板
３００            切口
３００ａ          一方開口端
３００ｂ          他方開口端
３０１            排出シュート
４                櫛刃
４ａ              取付けケース
５                平刃
７                フライホイール
８                モータ
１０              シャフト
１００            収容部
１１              シュータ
１２              割り刃ケース
１２００          割り刃
１２０１          立上壁面
１２０２          切欠き部
１２０３          立上壁面
１３              取付けリンク
２０              ケース
２０ａ            底面
２０００          開口
２００１          先端開口
２００２          切り溝
２００３          突条
２００４          レール
２１              ベース
２２              投入シュート
２２０１          センサー
２２００          供給口
２４              押込みブロック
２４００          切り溝
２５              ブロック支持体
２７              移動手段
２７００          ラックギア
２７０１          モータ
２７０２          近接スイッチ
２７０３          ドッグ
２８              扉
３０              コンベア
３１              チェーン
３２              受け板
３３              ホッパー
３５              ベース
４０              カバー
４１              カバー
４２              カバー
４３              カバー
Ｘ                長手方向
Ｙ                短手方向
Ｙ１              後方
Ｙ２              前方
Ｗ                千切り
【図１】
0005442352.tif 000002
【図２】
0005442352.tif 000003
【図３】
0005442352.tif 000004
【図４−１】
0005442352.tif 000005
【図４−２】
0005442352.tif 000006
【図５】
0005442352.tif 000007
【図６】
0005442352.tif 000008
【図７】
0005442352.tif 000009
【図８−１】
0005442352.tif 000010
【図８−２】
0005442352.tif 000011
【図８−３】
0005442352.tif 000012
【図９−１】
0005442352.tif 000013
【図９−２】
0005442352.tif 000014
【図９−３】
0005442352.tif 000015
【図９−４】
0005442352.tif 000016
【図１０】
0005442352.tif 000017
【図１１】
0005442352.tif 000018
【図１２】
0005442352.tif 000019